(57)【要約】【課題】操作部材の小型化による取扱性やデザイン性の向上を実現しつつ、モード切替時の良好な操作性も維持する。【解決手段】ハンマードリル１において、回転操作によって動作モードを選択可能なチェンジレバー１０は、切替機構と連係するベース１３上につまみ部１４を備え、つまみ部１４は、ベース１３の表面で直径方向に形成されるガイド壁１５，１５と、そのガイド壁１５，１５に一端が回転可能に連結され、ガイド壁１５，１５に沿ってベース１３上に位置する収納位置とガイド壁１５，１５から直径方向の延長上に突出する延長位置とに回転位置を変更可能な延長部材１６とからなり、直径方向の長さが変更可能となっている。【選択図】図１
2017131996.tif 000002
【特許請求の範囲】
【請求項１】
動作モードを切替可能な切替機構を有するハウジングの外面に、回転操作によって前記動作モードを選択可能な操作部材が設けられてなり、前記操作部材が、回転中心を通る直径方向に延びるつまみ部を有するハンマードリルであって、
前記つまみ部が、前記直径方向の長さを変更可能に設けられていることを特徴とするハンマードリル。
【請求項２】
前記操作部材は、前記切替機構と連係するベースを備え、前記つまみ部は、前記ベースの表面で前記直径方向に形成されるガイド部と、そのガイド部に一端が回転可能に連結され、前記ガイド部に沿って前記ベース上に位置する収納位置と前記ガイド部から前記直径方向の延長上に突出する延長位置とに回転位置を変更可能な延長部材とからなることを特徴とする請求項１に記載のハンマードリル。
【請求項３】
前記操作部材は、前記切替機構と連係するベースを備え、前記つまみ部は、前記ベースの表面で前記直径方向に形成されるガイド部と、そのガイド部へスライド可能に設けられ、前記ガイド部に沿って前記ベース上に位置する収納位置と前記ガイド部から前記直径方向の延長上に突出する延長位置とにスライド位置を変更可能な延長部材とからなることを特徴とする請求項１に記載のハンマードリル。
【請求項４】
前記ガイド部と前記延長部材との間には、前記収納位置で前記延長部材を位置決めする収納位置決め手段が設けられていることを特徴とする請求項２又は３に記載のハンマードリル。
【請求項５】
前記ガイド部と前記延長部材との間には、前記延長位置で前記延長部材を位置決めする延長位置決め手段が設けられていることを特徴とする請求項２乃至４の何れかに記載のハンマードリル。
【発明の詳細な説明】
【技術分野】
【０００１】
本発明は、ハンマーモードやドリルモード等の動作モードを選択して使用可能なハンマードリルに関する。
【背景技術】
【０００２】
ハンマードリルは、ハウジングが保持するツールホルダの先端に、ドリルビットやタガネ等の先端工具が着脱可能となっており、ハウジングの内部には、モータの回転をツールホルダに伝達する回転機構と、モータの回転をツールホルダ内のピストンの往復動に変換して先端工具を打撃する打撃機構とが設けられる。また、回転機構及び打撃機構の作動を切り替えて、先端工具へ回転のみ伝える回転モード、打撃のみ伝える打撃モード、回転と打撃とを同時に伝えるハンマードリルモードといった複数の動作モードに切替可能な切替機構も具備されている。ハウジングの外部には、切替機構と連係するチェンジレバー等の操作部材が設けられており、操作部材の回転操作によって動作モードが選択可能となっている（例えば特許文献１参照）。
【先行技術文献】
【特許文献】
【０００３】
【特許文献１】特許第４９１７４２３号公報
【発明の概要】
【発明が解決しようとする課題】
【０００４】
この操作部材は、ハウジングの側面等からつまみ部が突出した格好となるため、大きすぎると作業中に引っ掛けたりするおそれがある上、デザイン上の制約も受けやすい。よって、なるべく小型化するのが望ましいが、つまみ部を小型化すると回転操作時の操作荷重が大きくなるため、モード切替時の操作性の低下に繋がってしまう。
【０００５】
そこで、本発明は、操作部材の小型化による取扱性やデザイン性の向上を実現しつつ、モード切替時の良好な操作性も維持できるハンマードリルを提供することを目的としたものである。
【課題を解決するための手段】
【０００６】
上記目的を達成するために、請求項１に記載の発明は、動作モードを切替可能な切替機構を有するハウジングの外面に、回転操作によって動作モードを選択可能な操作部材が設けられてなり、操作部材が、回転中心を通る直径方向に延びるつまみ部を有するハンマードリルであって、つまみ部が、直径方向の長さを変更可能に設けられていることを特徴とする。
請求項２に記載の発明は、請求項１の構成において、操作部材は、切替機構と連係するベースを備え、つまみ部は、ベースの表面で直径方向に形成されるガイド部と、そのガイド部に一端が回転可能に連結され、ガイド部に沿ってベース上に位置する収納位置とガイド部から直径方向の延長上に突出する延長位置とに回転位置を変更可能な延長部材とからなることを特徴とする。
請求項３に記載の発明は、請求項１の構成において、操作部材は、切替機構と連係するベースを備え、つまみ部は、ベースの表面で直径方向に形成されるガイド部と、そのガイド部へスライド可能に設けられ、ガイド部に沿ってベース上に位置する収納位置とガイド部から直径方向の延長上に突出する延長位置とにスライド位置を変更可能な延長部材とからなることを特徴とする。
請求項４に記載の発明は、請求項２又は３の構成において、ガイド部と延長部材との間には、収納位置で延長部材を位置決めする収納位置決め手段が設けられていることを特徴とする。
請求項５に記載の発明は、請求項２乃至４の何れかの構成において、ガイド部と延長部材との間には、延長位置で延長部材を位置決めする延長位置決め手段が設けられていることを特徴とする。
【発明の効果】
【０００７】
請求項１に記載の発明によれば、操作部材のつまみ部が，直径方向の長さを変更可能に設けられていることで、ベースと共につまみ部を小型化できる。よって、取扱性やデザイン性の向上が期待できる。また、操作部材の使用時には、つまみ部を長くして回転操作できるため、操作荷重が上がることがない。よって、モード切替時の良好な操作性が維持できる。
請求項２に記載の発明によれば、請求項１の効果に加えて、つまみ部に設けた延長部材の回転操作により、つまみ部を直径方向へ簡単に伸縮させることができる。
請求項３に記載の発明によれば、請求項１の効果に加えて、つまみ部に設けた延長部材のスライド操作により、つまみ部を直径方向へ簡単に伸縮させることができる。
請求項４に記載の発明によれば、請求項２又は３の効果に加えて、収納位置決め手段の採用により、収納位置から延長部材が不意に飛び出したりするおそれがなくなる。
請求項５に記載の発明によれば、請求項２乃至４の何れかの効果に加えて、延長位置決め手段の採用により、延長位置で延長部材ががたつくことがなく、回転操作時の操作性が低下することがない。
【図面の簡単な説明】
【０００８】
【図１】形態１のハンマードリルの側面図である（延長部材は収納位置）。
【図２】形態１のチェンジレバーの説明図（延長部材は収納位置）で、（Ａ）は斜視図、（Ｂ）は正面図、（Ｃ）は側面図、（Ｄ）は中央縦断面図、（Ｅ）は軸部の中心を通るベースとの平行面での断面図である。
【図３】形態１のチェンジレバーの説明図（延長部材は延長位置）で、（Ａ）は斜視図、（Ｂ）は正面図、（Ｃ）は側面図、（Ｄ）は中央縦断面図、（Ｅ）は軸部の中心を通るベースとの平行面での断面図である。
【図４】形態１のハンマードリルの側面図である（延長部材は延長位置）。
【図５】形態２のチェンジレバーの説明図（延長部材は収納位置）で、（Ａ）は斜視図、（Ｂ）は正面図、（Ｃ）は側面図、（Ｄ）は中央縦断面図、（Ｅ）はスリットを通るベースとの平行面での断面図である。
【図６】形態２のチェンジレバーの説明図（延長部材は延長位置）で、（Ａ）は斜視図、（Ｂ）は正面図、（Ｃ）は側面図、（Ｄ）は中央縦断面図、（Ｅ）はスリットを通るベースとの平行面での断面図である。
【発明を実施するための形態】
【０００９】
以下、本発明の実施の形態を図面に基づいて説明する。
［形態１］
図１は、ハンマードリルの一例を示す側面図である。ハンマードリル１は、ハウジング２の下部に、モータを収容するモータ収容部３を有し、その上方に、回転機構と、ピストンシリンダを含む打撃機構と、スワッシュベアリングを用いてモータからの回転をピストンシリンダの往復動に変換する変換機構とを収容する出力部４を有してなり、出力部４の上部に設けられて前端（図１の左側を前方とする。）に先端工具を装着可能なツールホルダを前向きに突出させている。ツールホルダには、ストライカ（打撃子）を備えたピストンシリンダが往復動可能に収容される。５は、ツールホルダの先端に設けられて先端工具を着脱操作するための操作スリーブ、６は、出力部４の前端に装着されるサイドハンドルである。
ハウジング２の後部には、側面視コ字状のハンドル部７が形成されて、ハンドル部７の下部でモータ収容部３の後方に、電源となる前後２つのバッテリーパック８，８を側方からスライド装着可能としている。９は、ハンドル部７に内蔵したスイッチに設けたスイッチレバーである。
【００１０】
出力部４には、ハウジング２の側面に設けられた操作部材としてのチェンジレバー１０の回転操作により、回転機構を動作させてツールホルダと共に先端工具を回転させるドリルモード、打撃機構と回転機構とを同時に動作させて先端工具に打撃と回転とを付与するハンマドリルモード、打撃機構を動作させて先端工具に打撃を付与するハンマモード、ハンマドリルモードとハンマモードとの間の切替位置でツールホルダの回転をフリーとするハンマモード（ニュートラルモード）とが選択可能な切替機構が設けられている。出力部４の側面には、チェンジレバー１０が設けられる円形状の平面部１１が形成され、その周囲には、各動作モードの切替位置に合わせた表示部１２，１２・・が形成されている。図１ではハンマドリルモードが選択されている。
【００１１】
このチェンジレバー１０は、図２にも示すように、平面部１１の中心に位置する円盤状のベース１３と、そのベース１３の表面へ直径方向に突設されるつまみ部１４とからなり、ベース１３の裏面に設けた図示しない偏心ピンがハウジング２を貫通して切替機構と連係している。
つまみ部１４は、ベース１３の表面でその回転中心を挟んで立設されるガイド部としての一対のガイド壁１５，１５と、そのガイド壁１５，１５の間に保持される延長部材１６とからなる。延長部材１６は、ガイド壁１５の立設高さ内に納まる厚みと、ガイド壁１５，１５の間隔と略同じ幅とを有する棒状体で、図１，２での上端側で左右の側面に突設した一対の軸部１７，１７が、ガイド壁１５，１５の上端に設けた一対の透孔１８，１８に嵌合することで、軸部１７，１７を中心にして、図２に示すようにガイド壁１５，１５に沿ってその間に納まる収納位置と、図３に示すようにガイド壁１５，１５の間から引き出されてガイド壁１５，１５の延長上に突出する延長位置との間で回転可能となっている。
【００１２】
また、延長部材１６におけるガイド壁１５，１５に対向する両側面で、収納位置で軸部１７，１７の下側となる部位には、一対の位置決め突起１９，１９がそれぞれ突設されている。この位置決め突起１９，１９は、延長部材１６の収納位置では、ガイド壁１５，１５において透孔１８，１８の下側となる部位に形成された一対の位置決め孔２０，２０に嵌合して延長部材１６を位置決めする。この位置決め突起１９と位置決め孔２０とが収納位置決め手段となる。
一方、延長部材１６の延長位置では、位置決め突起１９，１９がガイド壁１５，１５の上端２１，２１にそれぞれ係止して延長部材１６を位置決めする。この位置決め突起１９と上端２１とが延長位置決め手段となる。このようにここでは位置決め突起１９が収納位置決め手段と延長位置決め手段とに兼用されている。延長部材１６の上端は、回転時にベース１３と干渉しないように軸部１７と同心の円形部２２となっており、下端には、収納位置でベース１３側に位置する矢印２３が凹設されている。
【００１３】
以上の如く構成されたハンマードリル１においては、動作モードを選択する際、ガイド壁１５，１５の間から延長部材１６の下端を外側に押し上げて引き出し、そのまま延長位置まで回転させれば、図３及び図４に示すように、つまみ部１４が、ベース１３の直径方向で延長上に突出する長さまで伸びた格好となる。このとき矢印２３は上端外側に位置する。よって、ガイド壁１５，１５と延長部材１６とを同時につまんで任意の動作モードの表示部１２に合わせて回転操作可能となる。動作モードを選択したら、延長部材１６を収納位置に戻せば、図１のようにつまみ部１４が小さくなるため、作業中に引っ掛けたりするおそれが低減される。
そして、スイッチレバー９を押し込み操作してスイッチをＯＮさせると、モータが駆動して出力軸が回転し、選択した動作モードに従って回転機構及び／又は打撃機構が作動し、先端工具に回転及び／又は打撃動作が付与される。
【００１４】
このように、上記形態１のハンマードリル１によれば、つまみ部１４が、直径方向の長さを変更可能に設けられていることで、チェンジレバー１０の非使用時には延長部材１６を収納位置に収納でき、ベース１３と共につまみ部１４を小型化できる。よって、取扱性やデザイン性の向上が期待できる。また、チェンジレバー１０の使用時には、延長部材１６を延長位置に引き出してつまみ部１４を長くして回転操作できるため、操作荷重が上がることがない。よって、モード切替時の良好な操作性が維持できる。
【００１５】
特にここでは、チェンジレバー１０に、切替機構と連係するベース１３を設け、つまみ部１４を、ベース１３の表面で直径方向に形成されるガイド壁１５，１５と、そのガイド壁１５，１５に一端が回転可能に連結され、ガイド壁１５，１５に沿ってベース１３上に位置する収納位置とガイド壁１５，１５から直径方向の延長上に突出する延長位置とに回転位置を変更可能な延長部材１６とからなる構造としたことで、延長部材１６の回転操作により、つまみ部１４を直径方向へ簡単に伸縮させることができる。
また、ガイド壁１５，１５と延長部材１６との間には、収納位置で延長部材１６を位置決めする収納位置決め手段（位置決め突起１９、位置決め孔２０）が設けられているので、収納位置から延長部材１６が不意に飛び出したりするおそれがなくなる。
さらに、ガイド壁１５，１５と延長部材１６との間には、延長位置で延長部材１６を位置決めする延長位置決め手段（位置決め突起１９、ガイド壁１５の上端２１）が設けられているので、延長位置で延長部材１６ががたつくことがなく、回転操作時の操作性が低下することがない。
【００１６】
なお、上記形態１では、延長部材側に軸部を、ガイド壁側に透孔を設けて回転可能としているが、これと逆に、ガイド壁側に内向きの軸部を、延長部材側に透孔若しくは凹部を設けて回転可能としてもよい。また、軸部でなく別体のピン等によって回転可能とすることもできる。
さらに、収納位置や延長位置の位置決め手段も上記形態と逆にして、例えばガイド壁側に、軸部を挟んで内向きの位置決め突起を点対称位置に一対設け、延長部材側に凹部を設けて、収納位置と延長位置とでそれぞれ位置決め可能としてもよい。また、延長部材の回転側の端部に、ベースの表面と干渉する角部を形成して、収納位置や延長位置での位置決めを図ることもできる。但し、収納位置と延長位置との位置決め手段の一方又は両方を省略することもできる。
【００１７】
［形態２］
一方、つまみ部は延長部材の回転による伸長に限らず、延長部材のスライドによる伸長としてもよい。図５，６はそのスライド形態を示すものであるが、ハンマードリルの構造は先の形態１と同じであるため、重複する説明は省略してチェンジレバーの構造のみについて説明する。
このチェンジレバー１０Ａにおいては、延長部材１６の左右の側面に、切欠き２６を挟んでガイド壁１５と同じ方向へ延びる２つの第１、第２突条２４，２５が、それぞれ対称に形成されている。この第１、第２突条２４，２５は、幅は共に同じであるが、突出高さは、第２突条２５の方が第１突条２４よりも高くなっている。また、第１突条２４の上下端には、傾斜面２４ａ，２４ａがそれぞれ形成されている。ガイド壁１５，１５には、第１、第２突条２４，２５が同時に嵌合する長さを有するスリット２７がそれぞれ形成されている。このスリット２７の上端とガイド壁１５の上端２１との間の上端部分２８の内面側の上下長さは、第１、第２突条２４，２５の間の切欠き２６の長さと略等しく形成されている。矢印２３は延長部材１６の上端外面に形成されている。
【００１８】
この延長部材１６は、左右の第１、第２突条２４，２５がそれぞれガイド壁１５，１５のスリット２７に嵌合した状態では、ガイド壁１５，１５の間に納まる収納位置となる。このとき第１突条２４の上側の傾斜面２４ａはそれぞれスリット２７の上端位置で上端部分２８に係止するため、収納位置で位置決めされる。すなわち、第１突条２４の上側の傾斜面２４ａと上端部分２８とが収納位置決め手段となる。
【００１９】
そして、延長部材１６を引き出す場合は、延長部材１６を下方から押し上げれば、左右の第１突条２４がそれぞれ上側の傾斜面２４ａにより上端部分２８を押し広げてガイド壁１５，１５の内側に進入し、そのまま第２突条２５がスリット２７に沿ってスライドすることで延長部材１６を突出させることができる。第２突条２５がスリット２７の上端に達すると、図６に示すように切欠き２６がガイド壁１５の上端部分２８に嵌合して第２突条２５が上端部分２８に係止するため、延長部材１６の突出が停止する延長位置となる。このとき第１突条２４の下側の傾斜面２４ａはそれぞれ上端部分２８に係止するため、延長位置で位置決めされる。すなわち、第１突条２４の下側の傾斜面２４ａと上端部分２８とが延長位置決め手段となる。
【００２０】
よって、動作モードを選択する際、図６に示すようにつまみ部１４から延長部材１６を延長位置までスライドさせれば、つまみ部１４が、ベース１３の直径方向でガイド壁１５，１５から延長部材１６が突出した長さまで伸びた格好となる。よって、延長部材１６とガイド壁１５，１５とを同時につまんで任意の動作モードまで回転操作可能となる。動作モードを選択したら、延長部材１６を収納位置にスライドさせれば、図５のようにつまみ部１４が小さくなるため、作業中に引っ掛けたりするおそれが低減される。このときも第１突条２４の下側の傾斜面２４ａにより上端部分２８を押し広げてガイド壁１５，１５の内側へスムーズに進入できる。
【００２１】
この形態２のハンマードリル１においても、チェンジレバー１０Ａの非使用時には、延長部材１６を収納位置に収納できるため、ベース１３と共につまみ部１４を小型化できる。よって、取扱性やデザイン性の向上が期待できる。また、チェンジレバー１０Ａの使用時には、延長部材１６を延長位置に引き出してつまみ部１４を長くして回転操作できるため、操作荷重が上がることがない。よって、モード切替時の良好な操作性が維持できる。
そして、チェンジレバー１０Ａは、切替機構と連係するベース１３を備え、つまみ部１４が、ベース１３の表面で直径方向に形成されるガイド壁１５，１５と、そのガイド壁１５，１５へスライド可能に設けられ、ガイド壁１５，１５に沿ってベース１３上に位置する収納位置とガイド壁１５，１５から直径方向の延長上に突出する延長位置とにスライド位置を変更可能な延長部材１６とからなることで、延長部材１６のスライド操作により、つまみ部１４を直径方向へ簡単に伸縮させることができる。
【００２２】
なお、この形態２においても、第１、第２突条とスリットとは逆にして、ガイド壁の互いの内面に第１、第２突条を突設し、延長部材の両側面に、第１、第２突条が同時に嵌合する長さの溝を形成してもよい。この場合も、収納位置では第１突条が溝の上端に係止することで位置決めできるし、延長位置では、溝の下側で延長部材の下端部分が第１、第２突条間の切欠きに係止するようにすれば位置決めできる。但し、各位置での位置決め手段は省略することもできる。
また、一対のガイド壁に代えて筒状のガイド部をベースに形成し、そのガイド部内で延長部材をスライドさせることも可能である。
【００２３】
その他、各形態に共通して、操作部材の位置はハウジングの右側面や上面、下面等であってもよいし、ベースは円盤状に限らず、例えばつまみ部と略同じ幅で形成してもよい。また、延長部材はガイド部より短くしても差し支えないし、棒状体でなく筒体や板体とすることもできる。つまみ部の伸長方向も、操作部材の位置等に合わせて適宜変更可能である。
一方、ハンマードリルの形態も、モータを横向きとしたり、打撃への変換にクランク機構を採用したり等、適宜変更可能で、ＤＣ機でなく電源として商用電源を使用するＡＣ機であっても本発明は適用可能である。
【符号の説明】
【００２４】
１・・ハンマードリル、２・・ハウジング、３・・モータ収容部、４・・出力部、１０，１０Ａ・・チェンジレバー、１２・・表示部、１３・・ベース、１４・・つまみ部、１５・・ガイド壁、１６・・延長部材、１７・・軸部、１８・・透孔、１９・・位置決め突起、２０・・位置決め孔、２１・・上端、２３・・矢印、２４・・第１突条、２４ａ・・傾斜面、２５・・第２突条、２６・・切欠き、２７・・スリット、２８・・上端部分。
【図１】
2017131996.tif 000003
【図２】
2017131996.tif 000004
【図３】
2017131996.tif 000005
【図４】
2017131996.tif 000006
【図５】
2017131996.tif 000007
【図６】
2017131996.tif 000008